(57)【特許請求の範囲】
【請求項１】
光源に隣り合うように一側に設けられた入光部と前記入光部を除いた出光部とを含む導光板、
前記導光板の出光部の上面に順次積層される拡散シート、
下部プリズムシート及び上部プリズムシートを含む複数の光学シート、
前記複数の光学シート及び前記導光板の出光部が装着される第１領域と、前記光源を収納する第２領域と、前記第１領域と前記第２領域の間に前記導光板の入光部を収納する第３領域とを含むガイドパネル、並びに、
前記ガイドパネルの上面縁部及び前記複数の光学シートの上面縁部に付着される遮光テープを含み、
前記ガイドパネルは、前記第３領域の左右縁部からそれぞれ前記光学シートのシート面に平行な水平方向に突出して前記複数の光学シートを水平方向に固定するシート固定部を含み、前記導光板は前記入光部の左右縁部にそれぞれ前記シート固定部を受け入れる結合空間を含み、
前記第１領域は、前記第３領域に隣り合う第４領域と前記第４領域を除いた第５領域とを含み、
前記下部プリズムシートは、前記第４領域と前記第５領域の間の境界で前記ガイドパネルの方向に突出した突出部を含み、
前記ガイドパネルは、前記各突出部に対応する係合凹部を含むことを特徴とする、液晶表示装置。
【請求項２】
前記ガイドパネルは、前記第２領域のみに隣接する第３側壁、第３側壁に対向し第５領域のみに隣接する第４側壁、互いに対向し、第１、第２及び第３領域に隣接する第１側壁と第２側壁を含み、
左右方向に互いに対向するガイドパネルの前記第１側壁及び前記第２側壁は、前記拡散シートの厚さ及び前記出光部の厚さを合わせた厚さに対応する高さに段部からなる装着凹部を前記第５領域上に含み、
前記拡散シートは前記第１領域に装着され、
前記下部プリズムシート及び前記上部プリズムシートは前記拡散シートの前記第１側壁と第２側壁の間の左右方向への幅より大きな幅を持ち、前記第５領域に配置されて前記第１及び第２側壁に設けられる段部からなる装着凹部に装着され、
前記下部プリズムシートは、前記第４領域に隣り合うエッジの両側縁部から前記各シート固定部まで伸びる延長部を含み、
前記遮光テープは、前記ガイドパネルの側壁の上面及び前記第５領域の縁部、前記第４領域、前記第３領域、第２領域、及び前記シート固定部に重畳して付着されることを特徴とする、請求項１に記載の液晶表示装置。
【請求項３】
前記第２領域の上面及び前記第３領域に配置された前記入光部の上面に配置されるプリント基板を含み、
前記プリント基板は、前記各シート固定部と重畳しないように前記第３領域の左右方向の両側縁部がカットされたことを特徴とする、請求項１に記載の液晶表示装置。
【請求項４】
一側に配置された光源に隣り合う入光部と前記入光部を除いた出光部とを含む導光板、
前記導光板の出光部の上面に順次積層される拡散シート、
下部プリズムシート及び上部プリズムシートを含む複数の光学シート、
前記複数の光学シート及び前記導光板の出光部が装着される第１領域と、前記光源を収納する第２領域と、前記第１領域と前記第２領域の間に前記導光板の入光部を収納する第３領域とを含むガイドパネル、並びに、
前記ガイドパネルの上面縁部及び前記複数の光学シートの上面縁部に付着される遮光テープを含み、
前記導光板の前記入光部の左右方向の両側縁部からそれぞれ前記拡散シートのシート面に対して垂直に、前記導光板から見たときに前記拡散シートが積層される方向に突出して前記複数の光学シートを水平方向に固定するシート固定部を含み、
前記第１領域は、前記第３領域に隣り合う第４領域と前記第４領域を除いた第５領域とを含み、
前記下部プリズムシートは、前記第４領域と前記第５領域の間の境界で前記ガイドパネルの方向に突出した突出部を含み、
前記ガイドパネルは前記各突出部に対応する係合凹部を含むことを特徴とする、液晶表示装置。
【請求項５】
前記ガイドパネルは、前記第２領域のみに隣接する第３側壁、第３側壁に対向し第５領域のみに隣接する第４側壁、互いに対向し、第１、第２及び第３領域に隣接する第１側壁と第２側壁を含み、
左右方向に互いに対向する前記第１側壁及び前記第２側壁は、前記拡散シートの厚さ及び前記出光部の厚さを合わせた厚さに対応する高さに段部からなる装着凹部を前記第５領域上に含み、
前記拡散シートは前記第１領域に装着され、
前記下部プリズムシート及び前記上部プリズムシートは前記拡散シートの前記第１側壁と第２側壁の間の左右方向への幅より大きな幅を持ち、前記第５領域に配置されて前記第１及び前記第２側壁に設けられる段部からなる装着凹部に装着され、
前記下部プリズムシートは、前記第４領域に隣り合うエッジの両側縁部からそれぞれ前記シート固定部まで伸びる延長部を含み、
前記遮光テープは、前記ガイドパネルの前記第１〜第４側壁の上面及び前記第５領域の縁部、前記第４領域、前記第３領域、前記第２領域及び前記シート固定部に重畳して付着されることを特徴とする、請求項４に記載の液晶表示装置。
【請求項６】
前記第２領域の上面及び前記第３領域に配置された前記入光部の上面に配置されるプリント基板を含み、
前記プリント基板は、前記各シート固定部と重畳しないように第３領域の左右方向の縁部がカットされたことを特徴とする、請求項４に記載の液晶表示装置。
【請求項７】
一側に配置された光源に隣り合う入光部と前記入光部を除いた出光部とを含む導光板、
前記導光板の出光部の上面に順次積層される拡散シート、
下部プリズムシート及び上部プリズムシートを含む複数の光学シート、
前記複数の光学シート及び前記導光板の出光部が装着される第１領域と、前記光源を収納する第２領域と、前記第１領域と前記第２領域の間に前記導光板の入光部を収納する第３領域とを含むガイドパネル、並びに、
前記ガイドパネルの上面縁部及び前記複数の光学シートの上面縁部に付着される遮光テープを含み、
前記ガイドパネルは、前記第２領域の左右縁部からそれぞれ前記拡散シートのシート面に対して垂直に、前記導光板から見たときに前記拡散シートが積層される方向に突出するシート固定部を含み、
前記下部プリズムシートは、前記第２領域に近いエッジの両側縁部からそれぞれ前記シート固定部まで伸びる延長部を含み、
前記第１領域は、前記第３領域に隣り合う第４領域と前記第４領域を除いた第５領域とを含み、
前記下部プリズムシートは、前記第４領域と前記第５領域のとの境界で前記ガイドパネルの方向に突出した突出部を含み、
前記ガイドパネルは、前記各突出部に対応する係合凹部を含むことを特徴とする、液晶表示装置。
【請求項８】
前記ガイドパネルは、前記第２領域のみに隣接する第３側壁、第３側壁に対向し第５領域のみに隣接する第４側壁、互いに対向し、第１、第２及び第３領域に隣接する第１側壁と第２側壁を含み、
左右方向に互いに対向する前記第１側壁及び前記第２側壁は、前記拡散シートの厚さ及び前記出光部の厚さを合わせた厚さに対応する高さに段部からなる装着凹部を前記第５領域上に含み、
前記拡散シートは前記第１領域に装着され、
前記下部プリズムシート及び前記上部プリズムシートは前記拡散シートの前記第１側壁と第２側壁の間の左右方向の幅より大きな幅を持ち、前記第５領域に配置されて前記第１及び第２側壁に設けられる段部からなる装着凹部に装着され、  前記遮光テープは、前記ガイドパネルの側壁の上面及び前記第５領域の縁部、前記第４領域、前記第３領域、及び第２領域に重畳して付着されることを特徴とする、請求項７に記載の液晶表示装置。
【請求項９】
前記第２領域の上面及び前記第３領域に配置された前記入光部の上面に配置されるプリント基板を含み、
前記プリント基板は、前記各シート固定部と重畳しないように第３領域の左右縁部がカットされたことを特徴とする、請求項７に記載の液晶表示装置。
【請求項１０】
前記遮光テープの上部に付着される液晶表示板をさらに含み、
前記液晶表示板は、前記シート固定部によって水平方向に固定されることを特徴とする、請求項９に記載の液晶表示装置。
【発明の詳細な説明】
【技術分野】
【０００１】
本発明は液晶表示装置に関するもので、より詳しくは光学シートの遊動を防止する液晶表示装置に関するものである。
【背景技術】
【０００２】
多様な情報を画面で具現する映像表示装置は情報通信時代の核心技術で、もっと薄くて軽いし、携帯が可能でありながらも高性能の方向に発展している。よって、陰極線管（ＣＲＴ）の欠点である重さ及び体積を減らすことができる平板表示装置が脚光を浴びている。
【０００３】
フラットパネルディスプレイの中で、液晶表示装置に画像を表示する液晶表示板は自ら発光することができないため、付加の光を供給するバックライトユニットを備えている。
【０００４】
バックライトユニットは、光を供給する光源と、光源から出射した光を液晶表示板の前面にガイドする導光板と、導光板の上部に配置され、光を均一に拡散させる拡散シートと、視野角を制御する下部プリズムシートと、上部プリズムシートと、これらを全て収納するフレーム形状のガイドパネルと、ガイドパネルの下面に付着される反射シートとを含む。
【０００５】
上部プリズムシートは縁部が液晶表示板に遮光テープを介して付着固定され、拡散シートはガイドパネルによって固定されるが、上部プリズムシートと拡散シートの間に配置された下部プリズムシートは固定されない。
【０００６】
一方、モバイル用液晶表示装置の場合、落下または外部衝撃によって、固定されなかった下部プリズムシートが遊動し、液晶表示板の縁部に明るく見える輝線が発生するという問題が存在する。
【発明の概要】
【発明が解決しようとする課題】
【０００７】
本発明は前記問題点を解決するためになされたもので、本発明は落下または外部衝撃による光学シートの遊動を防止することができる液晶表示装置を提供しようとする。
【課題を解決するための手段】
【０００８】
前記目的を達成するために、本発明の第１実施例による液晶表示装置は、光源に隣り合うように一側に設けられた入光部と前記入光部を除いた出光部とを含む導光板と、前記導光板の出光部の上面に順次積層される拡散シート、下部プリズムシート及び上部プリズムシートを含む複数の光学シートと、前記複数の光学シート及び前記導光板の出光部が装着される第１領域、前記光源を収納する第２領域、及び前記第１領域と前記第２領域の間に前記導光板の入光部を収納する第３領域を含むガイドパネルと、前記ガイドパネルの上面縁部及び前記複数の光学シートの上面縁部に付着される遮光テープとを含み、前記第３領域の左右縁部からそれぞれ上方に突出して前記複数の光学シートを水平方向に固定するシート固定部を含み、前記導光板は前記入光部の左右縁部にそれぞれ結合空間を含む。
【０００９】
前記ガイドパネルは第１〜第４側壁を含み、前記第１領域は、前記第３領域に隣り合う第４領域と前記第４領域を除いた第５領域とを含み、左右方向に互いに対向するガイドパネルの第１側壁及び第２側壁は、前記拡散シートの厚さ及び前記出光部の厚さを合わせた厚さに対応する高さに段部からなる装着凹部を前記第５領域上に含み、前記拡散シートは前記第１領域に装着され、前記下部プリズムシート及び前記上部プリズムシートは前記拡散シートの左右方向への幅より大きな幅を持ち、前記第５領域に配置されて前記第１及び第２側壁に設けられる段部からなる装着凹部に装着され、前記下部プリズムシートは、前記第４領域に隣り合うエッジの両側縁部から前記各シート固定部まで伸びる延長部を含み、前記遮光テープは、前記ガイドパネルの側壁の上面及び前記第５領域の縁部、前記第４領域、前記第３領域、第２領域、及び前記シート固定部に重畳して付着されることができる。
【００１０】
前記下部プリズムシートは、前記第４領域と前記第５領域の間の境界で前記ガイドパネルの方向に突出した突出部を含み、前記ガイドパネルは、前記各突出部に対応する係合凹部を含むことができる。
【００１１】
前記第２領域の上面及び前記第３領域に配置された前記入光部の上面に配置されるプリント基板を含み、前記プリント基板は、前記各シート固定部と重畳しないように前記第３領域の左右方向の両側縁部に結合空間を含むことができる。
【００１２】
本発明の第２実施例による液晶表示装置は、一側に配置された光源に隣り合う入光部と前記入光部を除いた出光部とを含む導光板と、前記導光板の出光部の上面に順次積層される拡散シート、下部プリズムシート及び上部プリズムシートを含む複数の光学シートと、前記複数の光学シート及び前記導光板の出光部が装着される第１領域、前記光源を収納する第２領域及び前記第１領域と前記第２領域の間に前記導光板の入光部を収納する第３領域を含むガイドパネルと、前記ガイドパネルの上面縁部及び前記複数の光学シートの上面縁部に付着される遮光テープとを含み、前記入光部の左右方向の両側縁部からそれぞれ上方に突出して前記複数の光学シートを水平方向に固定するシート固定部を含む。
【００１３】
前記ガイドパネルは第１〜第４側壁を含み、前記第１領域は、前記第３領域に隣り合う第４領域と前記第４領域を除いた第５領域とを含み、左右方向に互いに対向する前記第１側壁及び前記第２側壁は、前記拡散シートの厚さ及び前記出光部の厚さを合わせた厚さに対応する高さに段部からなる装着凹部を前記第５領域上に含み、前記拡散シートは前記第１領域に装着され、前記下部プリズムシート及び前記上部プリズムシートは前記拡散シートの左右方向への幅より大きな幅を持ち、前記第５領域に配置されて前記第１及び前記第２側壁に設けられる段部からなる装着凹部に装着され、前記下部プリズムシートは、前記第４領域に隣り合うエッジの両側縁部からそれぞれ前記シート固定部まで伸びる延長部を含み、前記遮光テープは、前記ガイドパネルの前記第１〜第４側壁の上面及び前記第５領域の縁部、前記第４領域、前記第３領域、前記第２領域及び前記シート固定部に重畳して付着されることができる。
【００１４】
前記下部プリズムシートは、前記第４領域と前記第５領域の間の境界で前記ガイドパネルの方向に突出した突出部を含み、前記ガイドパネルは前記各突出部に対応する係合凹部を含むことができる。
【００１５】
前記第２領域の上面及び前記第３領域に配置された前記入光部の上面に配置されるプリント基板を含み、前記プリント基板は、前記各シート固定部と重畳しないように第３領域の左右方向の縁部に結合空間を含むことができる。
【００１６】
本発明の第３実施例による液晶表示装置は、一側に配置された光源に隣り合う入光部と前記入光部を除いた出光部とを含む導光板と、前記導光板の出光部の上面に順次積層される拡散シート、下部プリズムシート及び上部プリズムシートを含む複数の光学シートと、前記複数の光学シート及び前記導光板の出光部が装着される第１領域、前記光源を収納する第２領域及び前記第１領域と前記第２領域の間に前記導光板の入光部を収納する第３領域を垂直方向に含むガイドパネルと、前記ガイドパネルの上面縁部及び前記複数の光学シートの上面縁部に付着される遮光テープとを含み、前記ガイドパネルは、前記第２領域の左右縁部からそれぞれ上方に突出するシート固定部を含み、前記下部プリズムシートは、前記第２領域に近いエッジの両側縁部からそれぞれ前記シート固定部まで伸びる延長部を含む。
【００１７】
前記ガイドパネルは第１〜第４側壁を含み、前記第１領域は、前記第３領域に隣り合う第４領域と前記第４領域を除いた第５領域とを含み、左右方向に互いに対向する第１側壁及び第２側壁は、前記拡散シートの厚さ及び前記出光部の厚さを合わせた厚さに対応する高さに段部からなる装着凹部を前記第５領域上に含み、前記拡散シートは前記第１領域に装着され、前記下部プリズムシート及び前記上部プリズムシートは前記拡散シートの左右方向の幅より大きな幅を持ち、前記第５領域に配置されて前記第１及び第２側壁に設けられる段部からなる装着凹部に装着され、前記遮光テープは、前記ガイドパネルの側壁の上面及び前記第５領域の縁部、前記第４領域、前記第３領域、及び第２領域に重畳して付着されることができる。
【００１８】
前記下部プリズムシートは、前記第４領域と前記第５領域のとの境界で前記ガイドパネルの方向に突出した突出部を含み、前記ガイドパネルは、前記各突出部に対応する係合凹部を含むことができる。
【００１９】
前記第２領域の上面及び前記第３領域に配置された前記入光部の上面に配置されるプリント基板を含み、前記プリント基板は、前記各シート固定部と重畳しないように第３領域の左右縁部に結合空間を含むことができる。
【００２０】
前記遮光テープの上部に付着される液晶表示板をさらに含み、前記液晶表示板は、前記シート固定部によって水平方向に固定されることができる。
【発明の効果】
【００２１】
導光板またはガイドパネルに上方に突出したシート固定部を含むことで、外部衝撃による光学シートの遊動を防止し、光学シートの遊動による輝線などの不良を防止することができる。
【図面の簡単な説明】
【００２２】
【図１】本発明の実施例による液晶表示装置の分解斜視図である。
【００２３】
【図２ａ】本発明の第１実施例による液晶表示装置の左側下端部の分解斜視図である。
【００２４】
【図２ｂ】図２ａに示した左側下端部が結合された形態を示す斜視図である。
【００２５】
【図３ａ】本発明の第２実施例による液晶表示装置の左側下端部の分解斜視図である。
【００２６】
【図３ｂ】図３ａに示した左側下端部が結合された形態を示す斜視図である。
【００２７】
【図４ａ】本発明の第３実施例による液晶表示装置の左側下端部の分解斜視図である。
【００２８】
【図４ｂ】図４ａに示した左側下端部が結合された形態を示す斜視図である。
【００２９】
【図４ｃ】図４ｂに示した構成に液晶表示板が結合された形態を示す斜視図である。
【発明を実施するための形態】
【００３０】
以下、添付図面に基づいて本発明の実施例を詳細に説明する。
【００３１】
図１は本発明による液晶表示装置の実施例を説明するための構成図である。
【００３２】
図１に示したように、本発明による液晶表示装置は、ガイドパネル５００、ガイドパネルの上側に設けられた導光板４００、導光板４００の上側に順次設けられた拡散シート３００、下部プリズムシート２００及び上部プリズムシート１００、ガイドパネル５００及び上部プリズムシート１００の縁部に重畳して付着された遮光テープ８００、及び前記遮光テープ上に付着された液晶表示板９００を含む。
【００３３】
液晶表示板９００は、下部基板、上部基板、前記下部基板と上部基板の間に設けられた液晶層、上部基板の上側に設けられた上部偏光板、及び下部基板の下側に設けられた下部偏光板を含む。
【００３４】
下部基板には、互いに交差するように形成されたゲートライン及びデータライン、それらの交差部に形成された薄膜トランジスタ、及び薄膜トランジスタに接続された画素電極が形成される。薄膜トランジスタは、対応する画素電極に印加される電圧を制御する。
【００３５】
上部基板は、下部基板上に形成された複数の画素電極に対応してＲ（赤色）、Ｇ（緑）、Ｂ（青色）のカラーフィルターを含む。また、下部基板上に形成された画素電極と垂直電界を形成する共通電極が形成される。これとは違い、共通電極は、水平電界またはフリンジ電界を形成する場合、下部基板に形成できる。
【００３６】
このような下部基板と上部基板は液晶層を挟んで対向して合着される。液晶層は画素電極と共通電極の間の電界によって回転し、液晶層の回転程度によって光透過量を制御することができる。
【００３７】
下部偏光板は下部基板の下面に付着され、上部偏光板は上部基板の上面に付着される。下部偏光板及び上部偏光板のそれぞれは、入射光に対して自分の透過軸に平行な光のみを選択的に透過させる。
【００３８】
バックライトユニットは、ガイドパネル５００、ガイドパネル５００の上側に設けられた導光板４００、導光板の上側に順次設けられた拡散シート３００、下部プリズムシート２００及び上部プリズムシート１００、及びガイドパネル５００及び上部プリズムシート１００の縁部に重畳して付着される遮光テープ８００を含む。
【００３９】
ガイドパネル５００は枠形態のもので、導光板４００、拡散シート３００、下部プリズムシート２００及び上部プリズムシート１００を収納する。また、一側にＬＥＤチップからなった光源を収納する空間が設けられ、それぞれの光源は遮蔽膜５５０によって導光板の方向にだけ出射する。
【００４０】
プリント基板７００の背面に一列に離隔したＬＥＤチップが形成されることができ、プリント基板７００がガイドパネルの一側に付着されることで、背面に配置されたＬＥＤチップがガイドパネルの遮蔽膜５５０の間ごとに配置される。ガイドパネルの一側に光源が配置されるので、エッジ型バックライト構造である。
【００４１】
導光板４００はガイドパネル５００に装着され、ガイドパネル５００の一側に配置された光源から出射する光を液晶表示板９００にガイドする。
【００４２】
拡散シート３００は導光板４００の上側に配置され、導光板４００から出射する光を均一にし、下部プリズムシート２００と上部プリズムシート１００は光の経路を変更して視野角を制御することによって光の特性を向上させる。
【００４３】
反射シート６００はガイドパネル５００の背面及び導光板４００の背面に重畳するように付着され、導光板４００からガイドパネル５００の背面に出る光を反射させることによって光の損失を防止する。
【００４４】
遮光テープ８００はガイドパネル５００の上面と上部プリズムシートの縁部上に配置されて、液晶表示板をガイドパネルに付着する。
【００４５】
図２ａは本発明の第１実施例による液晶表示装置の左側下端部の分解斜視図、図２ｂは図２ａに示した左側下端部が結合された形態を示す斜視図である。
【００４６】
図２ａ及び図２ｂを参照して第１実施例による液晶表示装置について説明する。
【００４７】
図２ａ及び図２ｂに示した左側下端部の形状は右側下端部にも対称的に適用される。
導光板４００は、光源に隣接するように一側に設けられた入光部４１０と、前記入光部４１０を除いた出光部４２０とを含む。導光板４００の入光部４１０は両側縁にそれぞれ結合空間４１１を含む。
【００４８】
光学シートを構成する拡散シート３００、下部プリズムシート２００及び上部プリズムシート１００は導光板４００の上面に順次配置される。
【００４９】
ガイドパネル５００は、導光板の出光部４２０が装着される第１領域５１０と、光源７１１を収納する第２領域５２０と、第１領域５１０及び第２領域５２０の間に導光板の入光部４１０を収納する第３領域５３０とからなる。第１領域５１０は、第３領域に隣り合う第４領域５０２と、第４領域５０２を除いた第５領域５０１とからなる。
【００５０】
ガイドパネル５００の第３領域５３０の左右縁部からそれぞれ光学シートのシート面に平行な水平方向に突出して前記複数の光学シート１００、２００、３００を水平方向に固定するシート固定部５１１を含む。シート固定部５１１によって、光学シートが外部衝撃によって光源側に遊動することを防止することができる。
【００５１】
また、ガイドパネル５００は第１〜第４側壁を含み、左右方向に互いに対向するガイドパネルの第１側壁及び第２側壁は、前記拡散シートの厚さ及び前記出光部の厚さを合わせた厚さに対応する高さに段部からなる装着凹部５１１を前記第５領域５０１上に含む。
【００５２】
遮光テープ８００はガイドパネル５００の上面縁部と上部プリズムシート１００の上面縁部に付着される。すなわち、遮光テープ８００は、ガイドパネル５００の側壁の上面と第５領域５０１の縁部、前記第４領域５０２、第３領域５３０、第２領域５２０及び、シート固定部５１１に重畳して付着される。
【００５３】
拡散シート３００は前記第１領域５１０に装着され、下部プリズムシート２００及び上部プリズムシート１００は前記拡散シート３００の左右方向への幅より大きな幅を持ち、第５領域５０１に配置されて第１及び第２側壁に設けられる段部からなる装着凹部５１１に装着される。したがって、下部プリズムシートと上部プリズムシートは段部によって遊動がより防止される。
【００５４】
下部プリズムシート２００は第４領域５０２に隣り合うエッジの両側縁部から各シート固定部５１１まで伸びる延長部２１０を含む。また、下部プリズムシートは第４領域及び第５領域の間の境界でガイドパネル５００の方向に突出した突出部２２０を含み、ガイドパネル５００は前記各突出部２２０に対応する係合凹部５１２を含むことにより、下部プリズムシートの遊動をより防止することができる。
【００５５】
プリント基板７００は第２領域５２０の上面及び第３領域５３０に配置された前記入光部４１０の上面に配置される。プリント基板７００は各シート固定部５１１と重畳しないように第３領域５３０の左右両側縁部がカットされる。
【００５６】
前記のように、シート固定部５１１を含むことにより、光学シートの遊動を防止することができる。
【００５７】
一方、下部プリズムシート２００はエッジの両側縁部にシート固定部５１１の方向に伸びてシート固定部５１１と接触する延長部２１０を含むことによって下部プリズムシート２００を水平方向に固定することができる。
【００５８】
一方、上部プリズムシート１００は遮光テープ８００によって固定され、拡散シート３００は第４領域で遮光テープ８００によって接着され、シート固定部５１１によって水平方向に固定される。
【００５９】
したがって、下部プリズムシートが光源側に遊動することを防止して、輝線の発生を防止することができる。
【００６０】
図３ａは本発明の第２実施例による液晶表示装置の左側下端部の分解斜視図、図３ｂは図３ａに示した左側下端部が結合された形態を示す斜視図である。
【００６１】
図３ａ及び図３ｂを参照して第２実施例による液晶表示装置について説明する。
【００６２】
図３ａ及び図３ｂに示した液晶表示装置の左側下端部の形状は右側下端部にも対称的に適用される。
【００６３】
第１実施例はシート固定部がガイドパネルから突出して形成されるが、第２実施例はシート固定部が導光板から突出して形成される。
【００６４】
第２実施例による液晶表示装置は、導光板１４００が光源１７１１に隣り合うように一側に設けられた入光部１４１０と、前記入光部１４１０を除いた出光部１４２０とを含む。そして、入光部１４１０の左右両側縁部からそれぞれ上方に突出して複数の光学シートを水平方向に固定するシート固定部１４１１を含む。したがって、外部衝撃によって光学シートが遊動することによって発生する輝線などの不良を防止することができる。
【００６５】
拡散シート１３００、下部プリズムシート１２００、上部プリズムシート１１００は導光板１４００の出光部１４２０の上面に順次積層される。
【００６６】
ガイドパネル１５００は、複数の光学シート１１００、１２００、１３００と導光板の出光部１４２０が装着される第１領域１５１０と、光源を収納する第２領域１５２０と、第１領域１５１０と第２領域１５２０の間に前記導光板の入光部１４１０を収納する第３領域１５３０とを含み、第１領域１５１０は、第２領域１５２０に隣り合う第４領域１５０２と、第４領域１５０２を除いた第５領域１５０１とを含む。
【００６７】
ガイドパネル１５００は第１〜第４側壁を含み、ガイドパネル１５００の左右方向に互いに対向する第１側壁及び第２側壁は、前記拡散シート１３００の厚さ及び前記出光部１４１０の厚さを合わせた厚さに対応する高さに段部からなる装着凹部１５１１を前記第５領域１５０１上に含む。
【００６８】
遮光テープ８００はガイドパネル１５００の上面縁部と複数の光学シートの上面縁部に付着される。
【００６９】
拡散シート１３００は前記第１領域１５１０に装着されて固定される。
【００７０】
下部プリズムシート１２００及び上部プリズムシート１１００は拡散シート１３００の左右方向への幅より大きな幅を持ち、第５領域１５０１に配置されて第１及び第２側壁に設けられる装着凹部１５１１に装着される。したがって、下部プリズムシート１２００及び上部プリズムシート１１００は装着凹部によって水平方向への遊動が防止される。
【００７１】
そして、下部プリズムシート１２００は第４領域１５０２に隣り合うエッジの両側縁部から各シート固定部１４１１まで伸びる延長部１２１０を含むことにより、光源方向に遊動することができないように固定される。
【００７２】
また、下部プリズムシート１２００は第４領域１５０２及び第５領域１５０１の間の境界でガイドパネル１５００の方向に突出した突出部１２１０を含み、ガイドパネルは各突出部１２２０に対応する係合凹部１５１２を含むことにより、下部プリズムシート１２００が遊動することができないようにすることができる。
【００７３】
遮光テープ８００は、ガイドパネル１５００の前記第１〜第４側壁の上面と第５領域１５０１の縁部、第４領域１５０２、前記第３領域１５３０、第２領域１５２０、及びシート固定部１４１１に重畳して付着される。
【００７４】
また、第２領域１５２０の上面及び第３領域１５３０に配置された入光部１４１０の上面に配置されるプリント基板１７００を含む。プリント基板１７００は、各シート固定部１４１１と重畳しないように第３領域の左右縁部がカットされる。
【００７５】
したがって、下部プリズムシート１２１０が光源側に遊動することを防止して、輝線の発生を防止することができる。また、第１実施例の場合、光が通過することができないガイドパネル１５００の一部が突出して、光源から出射する光と干渉することができるが、第２実施例の場合、光が通過することができる導光板が突出しているので、光源から出射する光は導光板と干渉しない。光源に隣り合うエッジ部分はシート固定部１４１１によって遮られて暗くなることがない。
【００７６】
図４ａは本発明の第３実施例による液晶表示装置の左側下端部の分解斜視図、図４ｂは図４ａに示した左側下端部が結合された形態を示す斜視図である。図４ｃは図４ｂに示した構成に液晶表示板が結合された形態を示す斜視図である。
【００７７】
図４ａ〜図４ｃを参照して第３実施例による液晶表示装置について説明する。
【００７８】
図４ａ〜図４ｃに示した液晶表示装置の左側下端部の形状は右側下端部にも対称的に適用される。
【００７９】
導光板２４００は、光源に隣り合うように一側に設けられた入光部２４１０と、前記入光部２４１０を除いた出光部２４２０とを含む。
【００８０】
光学シートを構成する拡散シート２３００、下部プリズムシート２２００、上部プリズムシート２１００は導光板２４００の上面に順次配置される。
【００８１】
ガイドパネル２５００は、導光板の出光部２４２０が装着される第１領域２５１０と、光源２７１１を収納する第２領域２５２０と、第１領域２５１０及び第２領域２５２０の間に導光板の入光部２４１０を収納する第３領域２５３０とを含む。第１領域２５１０は、第３領域に隣り合う第４領域２５０２と第４領域２５０２を除いた第５領域２５０１とを含む。
【００８２】
また、ガイドパネル２５００は第１〜第４側壁を含み、左右方向に互いに対向するガイドパネルの第１側壁及び第２側壁は前記拡散シートの厚さ及び前記出光部の厚さを合わせた厚さに対応する高さに段部からなる装着凹部２５１１を前記第５領域２５０１上に含む。
【００８３】
ガイドパネルは第２領域２５２０の左右縁部からそれぞれ上方に突出するシート固定部２５１１を含み、下部プリズムシートは第２領域に近いエッジの両側縁部からそれぞれシート固定部まで延びる延長部を含む。したがって、下部プリズムシート２４００は水平方向への遊動が防止され、特に光源の方向に遊動することができないように固定される。したがって、下部プリズムシート２４００の遊動による輝線が発生しない。
【００８４】
遮光テープ２８００はガイドパネル２５００の上面縁部と上部プリズムシート２１００の上面縁部に付着される。すなわち、遮光テープ２８００は、ガイドパネル２５００の側壁の上面と第５領域２５０１の縁部、前記第４領域２５０２、第３領域２５３０、第２領域２５２０及びシート固定部２５１１に重畳して付着される。
【００８５】
拡散シート２３００は前記第１領域２５１０に装着され、下部プリズムシート２２００及び上部プリズムシート２１００は前記拡散シート２３００の左右方向への幅より大きな幅を持ち、第５領域２５０１に配置されて第１及び第２側壁に設けられる装着凹部２５１１に装着される。したがって、下部プリズムシート２２００及び上部プリズムシート２１００は水平方向への遊動、特に光源の方向への遊動が防止される。
【００８６】
下部プリズムシート２２００は第４領域２５０２に隣り合うエッジの両側縁部から各シート固定部２５１１まで伸びる延長部２２１０を含む。
【００８７】
また、下部プリズムシートは第４領域２５０２及び第５領域２５０４の間の境界でガイドパネル２５００の方向に突出した突出部２２２０を含み、ガイドパネル２５００は前記各突出部２２０に対応する係合凹部２５１２を含むことにより、下部プリズムシートの水平方向への遊動をより防止することができる。
【００８８】
プリント基板２７００は第２領域２５２０の上面及び第３領域２５３０に配置された前記入光部２４１０の上面に配置される。プリント基板７００は、各シート固定部２５１１と重畳しないように第２領域２５２０の左右両側縁部がカットされる。
【００８９】
前記のように、シート固定部２５１１を含むことにより、光学シート、特に下部プリズムシート２２００の遊動を防止することができる。
【００９０】
一方、下部プリズムシート２２００は、エッジの縁部にシート固定部２５１１の方向に伸びてシート固定部２５１１と接触する延長部２２１０を含むことにより、下部プリズムシート２２００を水平方向に固定することができる。
【００９１】
一方、上部プリズムシート２１００は遮光テープ２８００によって固定され、拡散シート２３００は第４領域で遮光テープ２８００によって接着され、シート固定部２５１１によって水平方向に固定される。
【００９２】
したがって、下部プリズムシート２２００が光源２７１１側に遊動することを防止して輝線の発生を防止することができる。
【００９３】
また、遮光テープ２８０の上部に付着される液晶表示板２９００をさらに含み、上部偏光板２９１０、上部基板２９２０、下部基板２３９０及び下部偏光板からなる液晶表示板２９００はシート固定部２５１１によって水平方向に固定される。
【００９４】
すなわち、第１及び第２実施例と違う点は、第１及び第２実施例におけるシート固定部は第３領域に形成されたが、第３実施例は第２領域にシート固定部が設けられる。したがって、液晶表示板の遊動も防止することができる。
【００９５】
以上の説明は本発明を例示的に説明したものに過ぎなく、本発明が属する技術分野で通常の知識を持つ者によって、本発明の技術的思想から逸脱しない範疇内で多様な変形が可能であろう。したがって、本発明の明細書に開示した実施例は本発明を限定するものではない。本発明の範囲は以下の特許請求範囲によって解釈されなければならなく、それと均等な範疇内にある技術のいずれも本発明の範囲に含まれるものに解釈されなければならない。
【産業上の利用可能性】
【００９６】
本発明は、落下または外部衝撃による光学シートの遊動を防止することができる液晶表示装置に適用可能である。
【符号の説明】
【００９７】
１００、１１００、２１００    上部プリズムシート
２００、２１００、２２００    下部プリズムシート
２２０、１２２０、２２２０    突出部
３００、１３００、２３００    拡散シート
４００、１４００、２４００    導光板
４１０、１４１０、２４１０    入光部
４２０、１４２０、２４２０    出光部
５００、１５００、２５００    ガイドパネル
５１１、１４１１、２５１１    シート固定部
５１０、１５１０、２５１０    第１領域
５２０、１５２０、２５２０    第２領域
５３０、１５３０、２５３０    第３領域
５０２、１５０２、２５０２    第４領域
５０１、１５０１、２５０１    第５領域
【図１】
0006320504.tif 000002
【図２ａ】
0006320504.tif 000003
【図２ｂ】
0006320504.tif 000004
【図３ａ】
0006320504.tif 000005
【図３ｂ】
0006320504.tif 000006
【図４ａ】
0006320504.tif 000007
【図４ｂ】
0006320504.tif 000008
【図４ｃ】
0006320504.tif 000009